(57)【要約】【課題】  構造物への浸水の防止が容易となると共に、信頼性が向上する浸水防止構造体を提供する。【解決手段】  浸水防止構造体１１は、構造物２０への浸水を防止するために用いられ、耐水性を有する床１に設置された構造物２０の設置周囲の全周において、床１に対して水密状態に固定された耐水性を有する収納箱３２を含む床部材３１と、収納箱３２に水密状態に接続されると共に構造物２０を囲うように上方に展開自在に構成された、耐水性を有するシート部材６１と、上方に展開されたシート部材６１を保持する保持手段８０とから構成される。固定手段８０は、構造物２０に取り付けられた係止片２１ａと、シート部材６１に固定された被係止片６３ａとからなる。シート部材６１を上方に展開することで、構造物２０の周囲が水密状態になるため、構造物２０への浸水の防止が容易となる。【選択図】  図５
2016224489.tif 000002
【特許請求の範囲】
【請求項１】
耐水性を有する床に設置された構造物への浸水を防止するための浸水防止構造体であって、
前記構造物の設置周囲の全周において、前記床に対して水密状態に固定された耐水性を有する床部材と、
前記床部材に水密状態に接続されると共に前記構造物を囲うように上方に展開自在に構成された、耐水性を有するシート部材と、
上方に展開された前記シート部材を保持する保持手段とを備えた、浸水防止構造体。
【請求項２】
前記保持手段は、
前記構造物に取り付けられた係止片と、
前記シート部材の上縁に固定され、前記係止片に係合可能な被係止片とを含む、請求項１記載の浸水防止構造体。
【請求項３】
前記シート部材は、展開時に筒状に、折畳み時に平面視で一定幅のリング状になるように構成される、請求項１又は請求項２記載の浸水防止構造体。
【請求項４】
前記床部材は、
上方が開放され、前記シート部材を非展開時に収納できる収納箱と、
前記収納箱に開閉自在に取り付けられた蓋体とを含む、請求項１から請求項３のいずれかに記載の浸水防止構造体。
【請求項５】
前記収納箱は、前記床の上面に水密状態に固定される、請求項４記載の浸水防止構造体。
【請求項６】
前記収納箱は、その上端面が前記床の上面に整列するように水密状態に前記床に埋設されると共に、前記蓋体の上方面は前記上端面に整列する、請求項４記載の浸水防止構造体。
【請求項７】
前記蓋体は、ヒンジを介して前記構造物側に開くと共に開放時に端部が前記構造物に当接状態に位置する、請求項４から請求項６のいずれかに記載の浸水防止構造体。
【発明の詳細な説明】
【技術分野】
【０００１】
この発明は浸水防止構造体に関し、特に床に設置された自動販売機や現金自動取引装置、エアコンの室外機等の構造物への浸水を防止するための浸水防止構造体に関するものである。
【背景技術】
【０００２】
図１０は、特許文献１で開示された従来の浸水防止機構を示す断面図であり、図１１は、図１０で示した浸水防止機構の浸水時における使用状態を示す断面図である。
【０００３】
図１０を参照して、浸水防止機構９１は、現金自動取引装置９２と、現金自動取引装置９２に防水性を有するように取り付けられ、防水性を有し、柔軟な材質で形成された筒状の防水カバー９７と、現金自動取引装置９２とは反対側に位置する防水カバー９７の端部に取り付けられ、比重が水よりも軽い材質からなる浮き９５とから構成される。
【０００４】
現金自動取引装置９２の下面には、現金自動取引装置９２を移動させるためのキャスター１０１と、現金自動取引装置９２を固定させるための固定金具９９とが形成されている。キャスター１０１及び固定金具９９は、現金自動取引装置９２の内部へ水の侵入を防ぐように、現金自動取引装置９２に固定されている。
【０００５】
現金自動取引装置９２の側面には、現金自動取引装置９２の内部の機器を引き出すための扉１０３が形成されている。
【０００６】
防水カバー９７及び浮き９５は、扉１０３の開閉の妨げにならないように現金自動取引装置９２の下部に設置されている。
【０００７】
使用に際して、図１１を参照して、浸水１１０が発生すると、浮き９５は、水位の上昇に伴い、その浮力によって上方へ自動的に移動する。それに応じて、浮き９５に取り付けられた防水カバー９７が上方へ上昇する。
【０００８】
これにより、浮き９５及び防水カバー９７が、現金自動取引装置９２の周囲を覆うことになり、現金自動取引装置９２への浸水を防止する。
【０００９】
ここで、現金自動取引装置９２に取り付けられたキャスター１０１及び固定金具９９は、現金自動取引装置９２の内部へ水の侵入を防ぐように固定されているので、現金自動取引装置９２の下面から浸水する虞はない。
【先行技術文献】
【特許文献】
【００１０】
【特許文献１】特開平１０−２８９３４５号公報
【特許文献２】特開２０００−２５１１３５号公報
【発明の概要】
【発明が解決しようとする課題】
【００１１】
上記のような浸水防止機構９１では、図１０及び図１１を参照して、キャスター１０１及び固定金具９９が、現金自動取引装置９２の内部へ水の侵入を防ぐように、現金自動取引装置９２の下面にあらかじめ形成されている必要があった。
【００１２】
又、既に設置されている現金自動取引装置９２の下面に対して、防水カバー９７を水密状態となるように取り付けることは容易ではなかった。
【００１３】
そこで、上述の課題を解決するものとして、次に示すような浸水防止装置１２１がある。
【００１４】
図１２は、特許文献２で開示された従来の他の浸水防止装置を示す断面図である。
【００１５】
図を参照して、浸水防止装置１２１は、現金自動取引装置１２２を囲むフロア１４４に形成された溝状のピット１４６の内部に収容され、所謂エアバッグ構造を有するものである。浸水防止装置１２１は、不使用時にはピット１４６の内部に収縮状態で収容され、ピット１４６の上面はカバー１４８で覆われている。
【００１６】
現金自動取引装置１２２の下面には、キャスター１３１と、支持脚１３５とが形成されている。現金自動取引装置１２２は、支持脚１３５を介してフロア１４４に設置されている。
【００１７】
使用に際して、浸水の虞が生じたときは、空気入れであるインフレータ（図示せず）を起動して、エアバッグ構造の浸水防止装置１２１を展開し、現金自動取引装置１２２の周囲を囲うことで、浸水を防止する。
【００１８】
しかし、この浸水防止装置１２１では、インフレータを用いて、一度展開した状態から元の収縮状態に戻すことは容易ではなかった。又、再度使用する際に、正常に作動するように収縮状態に戻すことは更に容易ではなかった。更に、確実に元の状態に戻しておかないと、次の使用時には信頼性が欠ける虞があった。
【００１９】
この発明は、上記のような課題を解決するためになされたもので、構造物への浸水の防止が容易となると共に、信頼性が向上する浸水防止構造体を提供することを目的とする。
【課題を解決するための手段】
【００２０】
上記の目的を達成するために、請求項１記載の発明は、耐水性を有する床に設置された構造物への浸水を防止するための浸水防止構造体であって、構造物の設置周囲の全周において、床に対して水密状態に固定された耐水性を有する床部材と、床部材に水密状態に接続されると共に構造物を囲うように上方に展開自在に構成された、耐水性を有するシート部材と、上方に展開されたシート部材を保持する保持手段とを備えたものである。
【００２１】
このように構成すると、シート部材を上方に展開することで構造物の周囲が水密状態になる。
【００２２】
請求項２記載の発明は、請求項１記載の発明の構成において、保持手段は、構造物に取り付けられた係止片と、シート部材の上縁に固定され、係止片に係合可能な被係止片とを含むものである。
【００２３】
このように構成すると、係止片と被係止片とを係合させることで、展開されたシート部材が構造物に確実に保持される。
【００２４】
請求項３記載の発明は、請求項１又は請求項２記載の発明の構成において、シート部材は、展開時に筒状に、折畳み時に平面視で一定幅のリング状になるように構成されるものである。
【００２５】
このように構成すると、シート部材を展開及び折畳みし易くなる。
【００２６】
請求項４記載の発明は、請求項１から請求項３のいずれかに記載の発明の構成において、床部材は、上方が開放され、シート部材を非展開時に収納できる収納箱と、収納箱に開閉自在に取り付けられた蓋体とを含むものである。
【００２７】
このように構成すると、非展開時のシート部材は、蓋体が取り付けられた収納箱に収納される。
【００２８】
請求項５記載の発明は、請求項４記載の発明の構成において、収納箱は、床の上面に水密状態に固定されるものである。
【００２９】
このように構成すると、収納箱と床の上面との間から浸水しにくくなる。
【００３０】
請求項６記載の発明は、請求項４記載の発明の構成において、収納箱は、その上端面が床の上面に整列するように水密状態に床に埋設されると共に、蓋体の上方面は上端面に整列するものである。
【００３１】
このように構成すると、収納箱の上端面と、蓋体の上方面と、床の上面とが面一になる。
【００３２】
請求項７記載の発明は、請求項４から請求項６のいずれかに記載の発明の構成において、蓋体は、ヒンジを介して構造物側に開くと共に開放時に端部が構造物に当接状態に位置するものである。
【００３３】
このように構成すると、開放時の蓋体がシート部材を構造物側から補強する。
【発明の効果】
【００３４】
以上説明したように、請求項１記載の発明は、シート部材を上方に展開することで構造物の周囲が水密状態になるため、構造物への浸水の防止が容易となる。
【００３５】
請求項２記載の発明は、請求項１記載の発明の効果に加えて、係止片と被係止片とを係合させることで、展開されたシート部材が構造物に確実に保持されるため、浸水防止構造体の信頼性が向上する。
【００３６】
請求項３記載の発明は、請求項１又は請求項２記載の発明の効果に加えて、シート部材を展開及び折畳みし易くなるため、使用勝手が向上する。
【００３７】
請求項４記載の発明は、請求項１から請求項３のいずれかに記載の発明の効果に加えて、非展開時のシート部材は、蓋体が取り付けられた収納箱に収納されるため、浸水防止構造体の不使用時における美観が向上する。
【００３８】
請求項５記載の発明は、請求項４記載の発明の効果に加えて、収納箱と床の上面との間から浸水しにくくなるため、構造物への浸水の防止が強化される。
【００３９】
請求項６記載の発明は、請求項４記載の発明の効果に加えて、収納箱の上端面と、蓋体の上方面と、床の上面とが面一になるため、浸水防止構造体の不使用時に、通行の障害とならない。
【００４０】
請求項７記載の発明は、請求項４から請求項６のいずれかに記載の発明の効果に加えて、開放時の蓋体がシート部材を構造物側から補強するため、浸水時における浸水防止構造体の信頼性が更に向上する。
【図面の簡単な説明】
【００４１】
【図１】この発明の第１の実施の形態による浸水防止構造体を床に設置された構造物の周囲へ設置した状態を示す概略斜視図である。
【図２】図１で示した浸水防止構造体の概略平面図である。
【図３】図２で示したＩＩＩ−ＩＩＩラインから見た概略拡大断面図である。
【図４】図１で示した浸水防止構造体の浸水時における使用状態を示す概略斜視図であって、図１に対応した図である。
【図５】図４で示した浸水防止構造体の浸水時における使用状態を示す概略拡大断面図であって、図３に対応した図である。
【図６】この発明の第２の実施の形態による浸水防止構造体を床の凹み部に設置した状態を示す概略拡大断面図であって、図３に対応した図である。
【図７】図６で示した浸水防止構造体の浸水時における使用状態を示す概略拡大断面図であって、図５に対応した図である。
【図８】この発明の第３の実施の形態による浸水防止構造体を床に設置された他の構造物の周囲へ設置した状態を示す概略斜視図であって、図１に対応した図である。
【図９】図８で示した浸水防止構造体の浸水時における使用状態を示す概略斜視図である。
【図１０】特許文献１で開示された従来の浸水防止機構を示す断面図である。
【図１１】図１０で示した浸水防止機構の浸水時における使用状態を示す断面図である。
【図１２】特許文献２で開示された従来の他の浸水防止装置を示す断面図である。
【発明を実施するための形態】
【００４２】
図１は、この発明の第１の実施の形態による浸水防止構造体を床に設置された構造物の周囲へ設置した状態を示す概略斜視図であり、図２は、図１で示した浸水防止構造体の概略平面図であり、図３は、図２で示したＩＩＩ−ＩＩＩラインから見た概略拡大断面図である。
【００４３】
これらの図を参照して、浸水防止構造体１１は、水に弱くて高額な精密機器等を内部に備えた自動販売機等の構造物２０への浸水を防止するために用いられ、耐水性を有する床１に設置された構造物２０の設置周囲の全周において、床１に対して水密状態に固定された耐水性を有する床部材３１と、床部材３１に水密状態に接続されると共に構造物２０を囲うように上方に展開自在に構成された、例えばゴム材料等からなる可撓性及び耐水性を有するシート部材６１と、上方に展開されたシート部材６１を保持する保持手段８０とから構成される。尚、床部材３１、シート部材６１及び保持手段８０の詳細な構成については、後述する。
【００４４】
構造物２０は、直方体形状を有し、その４つの側壁において鉛直方向の略中央位置に取り付けられたＬの字形状を有する保持手段８０である係止片２１ａ〜２１ｈと、正面側の側壁２２に取り付けられた係止片２１ａ及び係止片２１ｂの上方の位置に形成された商品表示面２７と、係止片２１ａ〜２１ｈよりも上方の位置で、壁８に取り付けられたフック９に掛けて配置される電源ケーブル３０と、その下面に形成され、床面１に載置される脚部２８とから構成される。
【００４５】
床部材３１は、平面視リング状で上方が開放された断面視コの字形状を有し、シート部材６１を非展開時に収納できる収納箱３２と、収納箱３２の内方側の端部に接続されたヒンジ４９を介して、収納箱３２に開閉自在に取り付けられ、平板形状を有する蓋体５０ａ〜５０ｄと、収納箱３２の四隅に位置し、脱着自在であり平板形状を有する蓋体５５ａ〜５５ｄと、収納箱３２の下面３５に水密状態に固定され、アンカー４１を介して床面１に水密状態に固定された平面視リング状の耐水性を有するプレート４５とから構成される。このように構成されることによって、非展開時のシート部材６１は、蓋体５０ａ〜５０ｄ及び蓋体５５ａ〜５５ｄが取り付けられた収納箱３２に収納されるため、浸水防止構造体１１の不使用時における美観が向上する。
【００４６】
床部材３１のプレート４５は、アンカー４１のボルト４２に螺合するナット４３によって上方から押圧されることで、床１に水密状態に固定されている。又、プレート４５の外方側の端部全周には、床１の上面２と収納箱３２との間を水密状態にシールするシーリング材４７が充填されている。即ち、収納箱３２は、床１の上面２に水密状態に固定される。これにより、収納箱３２と床１の上面２との間から浸水しにくくなるため、構造物２０への浸水の防止が強化される。
【００４７】
蓋体５０ａは、図３の実線の矢印で示した方向へヒンジ４９を介して構造物２０側に開くと共に、図３の二点鎖線で示したように開放時に端部５２が構造物２０に当接状態に位置するように形成されている。このように構成した理由については、後述する。
【００４８】
シート部材６１は、展開時に筒状に、折畳み時（非展開時）に平面視で一定幅Ｗ１のリング状になるように構成され、その上縁６２に固定され、構造物２０の係止片２１ａ〜２１ｈの各々に係合可能な保持手段８０である被係止片６３ａ〜６３ｈの各々が形成されている。
【００４９】
シート部材６１の下部は、収納箱３２の内部の底面３４と水密状態となるように、皿ネジ３８を介して上方から押圧プレート３７によって押圧して固定されている。
【００５０】
保持手段８０は、上述したように、構造物２０に取り付けられた係止片２１ａ〜２１ｈと、シート部材６１の上縁６２に固定され、係止片２１ａ〜２１ｈに係合可能な被係止片６３ａ〜６３ｈとを含んで構成される。
【００５１】
図４は、図１で示した浸水防止構造体の浸水時における使用状態を示す概略斜視図であって、図１に対応した図であり、図５は、図４で示した浸水防止構造体の浸水時における使用状態を示す概略拡大断面図であって、図３に対応した図である。
【００５２】
これらの図を参照して、浸水１８の虞が生じたときは、図１で示した浸水防止構造体１１の蓋体５５ａ〜５５ｄを収納箱３２から取り外す。浸水防止構造体１１の蓋体５０ａ〜５０ｄを、その端部５２が構造物２０に当接状態となるように、ヒンジ４９を介して構造物２０側へ開く。次に、浸水防止構造体１１のシート部材６１を上方へと展開し、その上縁６２に固定された被係止片６３ａ〜６３ｈの各々を、構造物２０の係止片２１ａ〜２１ｈの各々に係合させて保持する。よって、係止片２１ａ〜２１ｈと被係止片６３ａ〜６３ｈとを係合させることで、展開されたシート部材６１が構造物２０に確実に保持されることになるので、浸水時における浸水防止構造体１１の信頼性が向上することになる。
【００５３】
シート部材６１は、図３で示したように折畳み時に平面視で一定幅Ｗ１を有するように形成されているので、図４及び図５で示した使用状態に展開し易いと共に、一度展開した後で再度非展開状態に戻す際に、折畳みし易くなっており、コンパクトに収納箱３２に収納できる。従って、浸水防止構造体１１の使用勝手が向上する。
【００５４】
図５を参照して、浸水防止構造体１１のシート部材６１は、耐水性を有している。又、シート部材６１と収納箱３２の内部の底面３４とは、押圧プレート３７を介して水密状態になっている。更に、収納箱３２及びプレート４５は、耐水性を有している。更に、プレート４５の外方側の端部に位置する収納箱３２と床１の上面２との間は、シーリング材４７を介して水密状態になっている。従って、浸水防止構造体１１のシート部材６１を上方に展開することで、構造物２０の周囲が浸水１８に対して水密状態になる。従って、浸水防止構造体１１による構造物２０への浸水の防止が容易となる。
【００５５】
又、シート部材６１は、浸水１８の水圧で開放時の蓋体５０ａに沿うようにして変形する。このとき、蓋体５０ａは、その端部５２が構造物２０に当接状態に固定されており、シート部材６１を構造物２０側から補強している。即ち、シート部材６１の変形が小さくなり、浸水時における浸水防止構造体１１の信頼性が更に向上する。
【００５６】
電源ケーブル３０は、係止片２１ａ〜２１ｈよりも上方の位置で、壁８に取り付けられたフック９に掛けて配置されるので、浸水時に水に触れることはなく、安全性が保持されるものである。
【００５７】
図６は、この発明の第２の実施の形態による浸水防止構造体を床の凹み部に設置した状態を示す概略拡大断面図であって、図３に対応した図であり、図７は、図６で示した浸水防止構造体の浸水時における使用状態を示す概略拡大断面図であって、図５に対応した図である。
【００５８】
尚、この第２の実施の形態による浸水防止構造体１２は、図１で示した第１の実施の形態による浸水防止構造体１１と基本的な構成は同一である。ここでは、その相違点を中心に説明する。
【００５９】
これらの図を参照して、浸水防止構造体１２の収納箱３２は、図１で示した浸水防止構造体１１の収納箱３２と同一である。この浸水防止構造体１２の収納箱３２を埋設するように、床１に凹み部４が形成されている。
【００６０】
浸水防止構造体１２の収納箱３２は、その上端面３３が床１の上面２に整列するように水密状態に床１に埋設される。又、浸水防止構造体１２の蓋体５０ａ（図示しない蓋体５５を含む）の上方面５１は、収納箱３２の上端面３３に整列している。ここで、蓋体５０ａは、平板形状を有している。従って、浸水防止構造体１２の収納箱３２の上端面３３と、蓋体５０ａの上方面５１と、床１の上面２とが面一になるので、浸水防止構造体１２の不使用時に、通行の障害とならない。
【００６１】
又、浸水防止構造体１２の収納箱３２は、シート部材６１が水密状態に一体化されたものであるため、既設の構造物２０に対して、設置が容易となる。
【００６２】
図８は、この発明の第３の実施の形態による浸水防止構造体を床に設置された他の構造物の周囲へ設置した状態を示す概略斜視図であって、図１に対応した図であり、図９は、図８で示した浸水防止構造体の浸水時における使用状態を示す概略斜視図である。
【００６３】
尚、この第３の実施の形態による浸水防止構造体１３は、図１で示した第１の実施の形態による浸水防止構造体１１と基本的な構成は同一である。ここでは、その相違点を中心に説明する。
【００６４】
これらの図を参照して、浸水防止構造体１３の設置対象となる構造物２０は、図１で示した自動販売機等の構造物２０から、エアコンの室外機に置き換えたものである。浸水防止構造体１３におけるエアコンの室外機の構造物２０は、正面側の側壁２２に開口を有する通気部２５が形成されている。浸水防止構造体１３の係止片２１ａ及び係止片２１ｂは、構造体２０の通気部２５より上方の位置に形成される。これにより、シート部材６１を上方に展開して、係止片２１ａ〜２１ｈの各々に被係止片６３ａ〜６３ｈの各々を係合させることで、構造物２０の周囲が水密状態となる。このとき、構造物２０の開口を有する通気部２５は、シート部材６１で囲われるため、構造物２０への浸水が防止される。
【００６５】
又、浸水防止構造体１３は、図１で示した第１の実施の形態の浸水防止構造体１１から蓋体５０ａ〜５０ｄ及び蓋体５５ａ〜５５ｄを取り除いたものである。浸水防止構造体１３には、蓋体５０ａ〜５０ｄ及び蓋体５５ａ〜５５ｄを取り付けていないため、浸水防止構造体１３の使用時に、シート部材６１を迅速に展開することができる。このように、浸水防止構造体１３が設置される構造物２０（エアコンの室外機）付近が、普段、人の通行頻度が少ない場合には、蓋体５０ａ〜５０ｄ及び蓋体５５ａ〜５５ｄを取り付けないことが有効である。
【００６６】
尚、上記の各実施の形態では、浸水防止構造体は、特定の構造物に対して適用されていたが、例えば現金自動取引装置、家庭用の屋外給湯器（ボイラー）、屋外設置の冷蔵庫、物置用等の倉庫、小型の店舗（くじ売り場や簡易店舗）、無人精米機等の精密機器装置等のように他の構造物に対して適用されても良い。
【００６７】
又、上記の各実施の形態では、構造物は、特定の形状を有するものであったが、その他の形状を有するものであっても良い。
【００６８】
更に、上記の各実施の形態では、保持手段は、特定形状の係止片及び特定形状の被係止片からなるものであったが、係止片は構造物に取り付けられるものであり、被係止片はシート部材の上端に固定され、係止片に係合可能なものであれば、その他の係止片及びその他の被係止片からなるものであっても良い。又は、例えば構造物の上方位置にまで展開されたシート部材の上部を結束バンドによって保持するように、他の方法で上方に展開されたシート部材を保持できるものであれば、それを保持手段とし、係止片及び被係止片はなくても良い。
【００６９】
更に、上記の第１及び第２の実施の形態の各々では、床部材は、収納箱及び蓋体以外の特定のものを含むものであったが、上方が開放され、シート部材を非展開時に収納できる収納箱と、収納箱に開閉自在に取り付けられた蓋体を含むものであれば、収納箱及び蓋体以外の他のものを含んでも良い。又は、収納箱及び蓋体以外のものはなくても良い。更に、構造物の設置周囲の全周において、シート部材が床に対して水密状態に接続されるものであれば、収納箱及び蓋体以外のものから構成されても良い。
【００７０】
更に、上記の第３の実施の形態では、床部材は、収納箱からなるものであったが、構造物の設置周囲の全周において、シート部材が床に対して水密状態に接続されるものであれば、その他からなるものであっても良い。
【００７１】
更に、上記の各実施の形態では、シート部材は、展開時及び折畳み時に特定形状となるものであったが、展開時に筒状に、折畳み時に平面視で一定幅のリング状になるものであれば、他の形状であっても良い。又は、床部材に水密状態に接続されると共に構造物を囲うように上方に展開自在に構成され、耐水性を有するものであれば、他の形状であっても良い。
【００７２】
更に、上記の各実施の形態では、シート部材は、特定の材質からなるものであったが、他の材質からなるものであっても良い。
【００７３】
更に、上記の第１及び第３の実施の形態の各々では、収納箱は、プレート及びシーリング材を介して床に固定されるものであったが、床の上面に水密状態に固定されるものであれば、他の固定方法であっても良い。
【００７４】
更に、上記の第１及び第２の実施の形態の各々では、浸水防止構造体の蓋体は、ヒンジを有するものであったが、ヒンジはなくても良い。
【００７５】
更に、上記の第２の実施の形態では、浸水防止構造体は、蓋体を有するものであったが、蓋体はなくても良い。
【００７６】
更に、上記の第２の実施の形態では、収納箱は、その上端面が床の上面に整列するものであったが、水密状態に床に埋設されるものであれば、例えば収納箱の側壁の一部が露出するように、その上端面が床の上面に整列していなくても良い。
【００７７】
更に、上記の第２の実施の形態では、蓋体は、その上方面が収納箱の上端面に整列したものであったが、収納箱が水密状態に床に埋設されるものであれば、収納箱の上端面に整列していなくても良い。
【００７８】
更に、上記の第１及び第２の実施の形態の各々では、蓋体は、構造物側に開くものであったが、例えば外方側に開くように、それ以外の方向に開くものであっても良い。
【００７９】
更に、上記の第１及び第２の実施の形態の各々では、蓋体は、開放時に端部が構造物に当接状態に位置するものであったが、開放時に端部が構造物に当接状態に位置しないものであっても良い。
【００８０】
更に、上記の各実施の形態では、係止片は、シート部材の特定位置に取り付けられたものであったが、それ以外の位置に取り付けられたものであっても良い。
【符号の説明】
【００８１】
１…床
２…上面
１１〜１３…浸水防止構造体
２０…構造物
２１…係止片
３１…床部材
３２…収納箱
３３…上端面
４９…ヒンジ
５０…蓋体
５１…上方面
５２…端部
５５…蓋体
６１…シート部材
６２…上縁
６３…被係止片
８０…保持手段
尚、各図中同一符号は同一又は相当部分を示す。
【図１】
2016224489.tif 000003
【図２】
2016224489.tif 000004
【図３】
2016224489.tif 000005
【図４】
2016224489.tif 000006
【図５】
2016224489.tif 000007
【図６】
2016224489.tif 000008
【図７】
2016224489.tif 000009
【図８】
2016224489.tif 000010
【図９】
2016224489.tif 000011
【図１０】
2016224489.tif 000012
【図１１】
2016224489.tif 000013
【図１２】
2016224489.tif 000014